【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
対話型ディスプレイ装置と共に使用するための対話型スタイラスであって、当該対話型スタイラスは、
第１の端部を有するスタイラス本体であって、前記第１の端部は、ユーザによって操作され、第１の機能及び第２の機能を提供するように構成される、スタイラス本体と、
前記第１の端部と前記対話型ディスプレイ装置の電極マトリックスとを容量結合させるように、前記スタイラス本体内に位置付けされ、且つ駆動回路を介して前記第１の端部を電気駆動させるように構成されたコントローラであって、前記容量結合は、前記第１の機能に関連し、前記第２の機能に関連しておらず、前記第２の機能は、前記第１の機能を使用するユーザの意図を自動的に感知することに応じて、前記コントローラによって無効にされ、前記第１及び第２の機能の望ましくない同時実施を防止する、コントローラと、を有し、
前記第２の機能を無効にすることは、前記対話型ディスプレイ装置に命令を送信して、前記対話型ディスプレイ装置のプロセッサとのそのような命令の処理による前記第２の機能の実施を防止すること、及び前記対話型ディスプレイ装置から命令を受信して、前記コントローラとのそのような命令の処理による前記第２の機能の実施を防止することの少なくとも１つを含む、
対話型スタイラス。
【請求項２】
前記スタイラス本体に含まれ、且つ前記第２の機能に関連する触覚アクチュエータをさらに有し、前記第２の機能を無効にすることは、前記触覚アクチュエータの動作を阻止することを含む、請求項１に記載の対話型スタイラス。
【請求項３】
前記触覚アクチュエータは、前記第２の機能に関連する機械式アクチュエータであり、該機械式アクチュエータの動作が、前記第１の機能を使用するユーザの意図を自動的に感知することに応答して、少なくとも部分的に無効にされる、請求項２に記載の対話型スタイラス。
【請求項４】
前記第２の機能は、前記対話型ディスプレイ装置上でのアプリケーションの起動であり、そのような起動機能は、前記第１の機能を使用するユーザの意図を自動的に感知することに応じて、無効にされる、請求項１に記載の対話型スタイラス。
【請求項５】
前記第１の機能は、前記第１の端部が、前記対話型ディスプレイ装置において消去機能を提供するように前記電極マトリックスに容量結合される消去モードである、請求項１に記載の対話型スタイラス。
【請求項６】
前記スタイラス本体は、描画モードを提供するように構成された第２の端部をさらに含む、請求項１に記載の対話型スタイラス。
【請求項７】
前記第１の機能を使用するユーザの意図を自動的に感知することは、前記対話型スタイラスの前記対話型ディスプレイ装置への近接度に基づく、請求項１に記載の対話型スタイラス。
【請求項８】
前記近接度は、前記対話型ディスプレイ装置と前記対話型スタイラスとの間の容量結合による信号の強度に基づいて感知される、請求項７に記載の対話型スタイラス。
【請求項９】
対話型スタイラスと共に使用するための対話型ディスプレイ装置であって、当該対話型ディスプレイ装置は、
グラフィカル・コンテンツを提示するように構成されたディスプレイと、
該ディスプレイに結合され、前記対話型スタイラスの第１の端部において電気駆動電極と容量結合するように構成された電極マトリックスであって、前記容量結合は前記第１の端部の第１の機能に関連付けられる、電極マトリックスと、
前記第１の端部の第２の機能の無効化を開始するように構成された対話型スタイラスモジュールであって、前記容量結合は、前記第１の機能と関連し、前記第２の機能に関連しておらず、前記無効化は、前記第１及び第２の機能の望ましくない同時実行を防止するために、明示的なユーザ入力なしに、前記第１の機能を使用するユーザの意図を自動的に検知することに応答して、前記対話型スタイラスのスタイラス本体内に位置付けされたコントローラとの電子通信によって生成される、対話型スタイラスモジュールと、を有し、
前記第２の機能を無効化することは、前記対話型スタイラスに命令を送信して、前記対話型スタイラスの前記コントローラとのそのような命令の処理による前記第２の機能の実施を防止すること、及び前記対話型スタイラスから命令を受信して、前記対話型ディスプレイ装置のプロセッサとのそのような命令の処理による前記第２の機能の実施を防止することの少なくとも１つを含む、
対話型ディスプレイ装置。
【請求項１０】
前記第２の機能の無効化を開始することは、前記対話型ディスプレイ装置上のアプリケーションの起動を阻止することを含む、請求項９に記載の対話型ディスプレイ装置。
【請求項１１】
前記対話型スタイラスは、前記スタイラス本体の前記第１の端部内に触覚アクチュエータを含み、前記第２の機能の無効化を開始することは、前記対話型スタイラスに信号を送信して、前記対話型スタイラス内の前記触覚アクチュエータを無効にすることを含む、請求項９に記載の対話型ディスプレイ装置。
【請求項１２】
前記対話型スタイラスは、前記スタイラス本体の前記第１の端部内に機械式アクチュエータを含み、前記第２の機能の無効化を開始することは、前記対話型スタイラスに信号を送信して、前記第１の端部に含まれる前記機械式アクチュエータの動作を少なくとも部分的に無効にすることを含む、請求項９に記載の対話型ディスプレイ装置。
【請求項１３】
前記第１の機能を使用する前記ユーザの意図を自動的に感知することは、前記対話型スタイラスの前記第１の端部が、前記ディスプレイに近接又は該ディスプレイに接触していることを感知することを含む、請求項９に記載の対話型ディスプレイ装置。
【請求項１４】
前記対話型スタイラスの前記第１の端部が前記ディスプレイに近接又は該ディスプレイに接触していることを感知することは、前記第１の端部と前記電極マトリックスとの間の容量結合による信号の強度に基づく、請求項１３に記載の対話型ディスプレイ装置。
【請求項１５】
前記第１の機能は、前記第１の端部が、前記対話型ディスプレイ装置において消去機能を提供するように前記電極マトリックスに容量結合される消去モードである、請求項９に記載の対話型ディスプレイ装置。
【請求項１６】
前記対話型スタイラスモジュールは、前記対話型スタイラスの第２の端部の描画モードを実施することに応答して、前記第２の端部が前記ディスプレイに近接又は該ディスプレイに接触しているかどうかを自動的に感知するように構成される、請求項９に記載の対話型ディスプレイ装置。
【請求項１７】
対話型ディスプレイ装置と共に使用するための対話型スタイラスを動作させる方法であって、当該方法は、
前記対話型スタイラスのスタイラス本体内に位置付けされたコントローラにおいて、前記スタイラス本体の消去用端部と前記対話型ディスプレイ装置の電極マトリックスとを容量結合させるように、駆動回路によって前記スタイラス本体の前記消去用端部を電気駆動させるステップであって、前記容量結合は第１の機能に関連し、第２の機能に関連しておらず、消去機能は前記対話型ディスプレイ装置からグラフィックを消去するように構成される、駆動させるステップと、
前記消去機能を使用するユーザの意図を自動的に感知することに応じて、前記消去用端部に関連する第２の機能を無効にして、前記消去機能及び前記第２の機能の望ましくない同時実施を防止するステップであって、前記第２の機能を無効にするステップは、前記対話型スタイラスに命令を送信して、前記対話型スタイラスの前記コントローラとのそのような命令の処理による前記第２の機能の実施を防止するステップ、及び前記対話型スタイラスから命令を受信して、前記対話型ディスプレイ装置のプロセッサとのそのような命令の処理による前記第２の機能の実施を防止するステップの少なくとも１つを含む、防止するステップと、を含む、
方法。
【請求項１８】
前記第２の機能を無効にするステップは、前記対話型ディスプレイ装置上でのアプリケーション起動を阻止するステップ、又は前記対話型スタイラスにおける触覚フィードバック生成を抑制するステップを含む、請求項１７に記載の方法。
【請求項１９】
前記触覚フィードバック生成は、触覚アクチュエータによる振動発生及び機械式アクチュエータの押圧の少なくとも一方を含む、請求項１８に記載の方法。
【請求項２０】
前記消去機能を使用するユーザの意図を自動的に感知することは、前記消去用端部に含まれる第１の電極と前記電極マトリックス内に含まれる第２の電極との間の容量結合による信号の強度に基づく、請求項１７に記載の方法。